(57)【要約】【課題】油循環率を低減することができるとともに、返油パイプを大径化して潤滑油の返油性を確保しながら、モータ性能への影響を排除することができる密閉型圧縮機を提供することを目的とする。【解決手段】密閉ハウジング１０内の上部に設けられた圧縮機構３の所要潤滑部位に、回転軸７内の給油孔１４を介して密閉ハウジング１０下部の油溜まり１２に充填されている潤滑油１３が給油され、所要潤滑部位を潤滑した潤滑油が、返油パイプを介して油溜まり１２に戻されるように構成されている密閉型圧縮機１において、返油パイプが変形性を有する樹脂製返油パイプ４２とされるとともに、該樹脂製返油パイプ４２が密閉ハウジング１０と電動モータ４のステータ５との間の隙間に変形して挿通されている。【選択図】図１
2012057594.tif 000002
【特許請求の範囲】
【請求項１】
密閉ハウジング内の上部に設けられている圧縮機構の所要潤滑部位に、電動モータにより駆動される回転軸内の給油孔を介して前記密閉ハウジング下部の油溜まりに充填されている潤滑油が給油され、前記所要潤滑部位を潤滑した潤滑油が、返油パイプを介して前記油溜まりに戻されるように構成されている密閉型圧縮機において、
前記返油パイプが変形性を有する樹脂製返油パイプとされるとともに、該樹脂製返油パイプが前記密閉ハウジングと前記電動モータのステータとの間の隙間に変形して挿通されていることを特徴とする密閉型圧縮機。
【請求項２】
前記樹脂製返油パイプは、フッ素樹脂系パイプとされていることを特徴とする請求項１に記載の密閉型圧縮機。
【請求項３】
前記樹脂製返油パイプは、下端部が前記密閉ハウジング下部の前記油溜まりまで延長されていることを特徴とする請求項１または２に記載の密閉型圧縮機。
【請求項４】
前記樹脂製返油パイプの下端部は、前記回転軸の下端部を支持する下部軸受の側面にクランプされ、前記密閉ハウジングの内面から離間されていることを特徴とする請求項３に記載の密閉型圧縮機。
【請求項５】
前記樹脂製返油パイプは、下端部が前記密閉ハウジングと前記モータステータとの間の隙間の途中位置まで延長されていることを特徴とする請求項１または２に記載の密閉型圧縮機。
【発明の詳細な説明】
【技術分野】
【０００１】
本発明は、冷凍サイクル側に循環される潤滑油の油循環率（ＯＣＲ）を低減することができる密閉型圧縮機に関するものである。
【背景技術】
【０００２】
密閉ハウジング内の上部に圧縮機構が配設され、その下部に電動モータが配設されている密閉型の圧縮機では、一般的に、圧縮機構の軸受部等の所要潤滑部位に、電動モータにより駆動される回転軸（クランク軸）内に設けられている給油孔を介して密閉ハウジング下部の油溜まりに充填されている潤滑油を給油し、圧縮機構の所要潤滑部位を潤滑する強制潤滑方式が採用されている。
【０００３】
このような密閉型圧縮機では、冷媒ガスに伴われて圧縮機から冷凍サイクル側に循環される潤滑油の油循環率（ＯＣＲ）［全質量流量（冷媒流量＋潤滑油流量）に対する潤滑油の質量流量の比］が増大すると、冷凍サイクル側では熱交換が阻害されてシステム効率が低下するとともに、圧縮機側では潤滑油不足に陥るリスクが増大し、圧縮機および冷凍・空調機の信頼性が損なわれる。そこで、圧縮機構の所要潤滑部位を潤滑した潤滑油を、返油パイプを介して油溜まりに戻す構成とし、密閉ハウジング内を流動して圧縮機構に吸入される冷媒ガスと潤滑油とを接触させないようにすることにより、油循環率を低減するようにしたものが知られている（例えば、特許文献１，２参照）。
【０００４】
また、上記のように、圧縮機構の所要潤滑部位を潤滑した潤滑油を、返油パイプを介して密閉ハウジング下部の油溜まりに戻すように構成したものにおいて、返油パイプとして金属製のパイプ以外に、樹脂製のパイプを用いたものが、例えば特許文献３，４等により提示されている。
【先行技術文献】
【特許文献】
【０００５】
【特許文献１】特許第３６０８４０１号公報
【特許文献２】特開２００５−１６３６３７号公報
【特許文献３】特開２００６−９７５１７号公報
【特許文献４】特開２００６−１３２４１９号公報
【発明の概要】
【発明が解決しようとする課題】
【０００６】
特許文献１−４に示されたものでは、密閉ハウジング内での冷媒ガスと潤滑油との接触を減らし、油循環率（ＯＣＲ）を低減することができる。しかしながら、返油パイプを余り太くできないという問題があった。つまり、粘度を持っている潤滑油を長いパイプを通して円滑に流下させるには、パイプ径をできるだけ太くすることが望ましいが、返油パイプは、密閉ハウジングとモータステータとの間の隙間を通して配設されているため、パイプ径を太くすると、隙間を大きくしなければならなくなる。
【０００７】
上記隙間は、通常、モータステータの外周にカット面を設けて形成しているため、返油パイプを太くすると、それに伴ってモータステータのカット面を大きくしなければならなくなり、これによって、モータ性能への影響が懸念される。このことから、モータ性能に影響を及ぼさないようにしながら、潤滑油の返油性を確保しなければならないという課題があった。
【０００８】
本発明は、このような事情に鑑みてなされたものであって、油循環率を低減することができるとともに、返油パイプを大径化して潤滑油の返油性を確保しながら、モータ性能への影響を排除することができる密閉型圧縮機を提供することを目的とする。
【課題を解決するための手段】
【０００９】
上記した課題を解決するために、本発明の密閉型圧縮機は、以下の手段を採用する。
すなわち、本発明にかかる密閉型圧縮機は、密閉ハウジング内の上部に設けられている圧縮機構の所要潤滑部位に、電動モータにより駆動される回転軸内の給油孔を介して前記密閉ハウジング下部の油溜まりに充填されている潤滑油が給油され、前記所要潤滑部位を潤滑した潤滑油が、返油パイプを介して前記油溜まりに戻されるように構成されている密閉型圧縮機において、前記返油パイプが変形性を有する樹脂製返油パイプとされるとともに、該樹脂製返油パイプが前記密閉ハウジングと前記電動モータのステータとの間の隙間に変形して挿通されていることを特徴とする。
【００１０】
本発明によれば、圧縮機構の所要潤滑部位を潤滑した潤滑油が、返油パイプを介して油溜まりに戻されるように構成されている密閉型圧縮機において、返油パイプが変形性を有する樹脂製返油パイプとされるとともに、該樹脂製返油パイプが密閉ハウジングと電動モータのステータとの間の隙間に変形して挿通されているため、圧縮機構の所要潤滑部位を潤滑して排出される潤滑油を、返油パイプを通して油溜まりに返油することにより、密閉ハウジング内を流動して圧縮機構に吸入される冷媒ガスと接触させることなく、油溜まりへと戻すことができ、従って、冷媒ガスに伴われて圧縮機から冷凍サイクル側に循環される潤滑油の油循環率（ＯＣＲ）を低減し、冷凍サイクル側でのシステム効率を向上することができるとともに、圧縮機側で潤滑油不足に陥るリスクを低減し、圧縮機の信頼性を向上することができる。また、返油パイプが変形性を有する樹脂製パイプとされていることから、密閉ハウジングとモータステータとの間の狭い隙間に太い樹脂製パイプを、例えば扁平状に変形させて挿通することができ、従って、返油パイプを大径化して潤滑油を円滑に油溜まりに戻すことができるとともに、返油パイプを大径化したとしても、それを密閉ハウジングとモータステータとの間の隙間に変形させて挿通できることから、組み立ての容易性を確保することができる。しかも、密閉ハウジングとモータステータとの間の隙間を大きくする必要がなく、モータステータの切欠き部を小さいままに維持することができるため、モータ性能への影響を皆無とすることができる。
【００１１】
さらに、本発明の密閉型圧縮機は、上記の密閉型圧縮機において、前記樹脂製返油パイプは、フッ素樹脂系パイプとされていることを特徴とする。
【００１２】
本発明によれば、樹脂製返油パイプが、フッ素樹脂系パイプとされているため、樹脂製返油パイプを耐冷媒性および耐潤滑油性を有し、かつ変形性を有するフッ素樹脂系の、例えばＦＥＰ（テトラフルオロエチレン・ヘキサフルオロプロピレン共重合体（４．６フッ化））製の太い返油パイプとすることができる。従って、耐冷媒性、耐潤滑油性を確保しながら、圧縮機構の所要潤滑部位を潤滑した潤滑油を冷媒ガスと接触させずに、大径化されたフッ素樹脂系パイプの大きな断面流路を介して、スムーズに密閉ハウジング下部の油溜まりに戻すことができる。
【００１３】
さらに、本発明の密閉型圧縮機は、上述のいずれかの密閉型圧縮機において、前記樹脂製返油パイプは、下端部が前記密閉ハウジング下部の前記油溜まりまで延長されていることを特徴とする。
【００１４】
本発明によれば、樹脂製返油パイプの下端部が、密閉ハウジング下部の油溜まりまで延長されているため、圧縮機構の所要潤滑部位を潤滑した潤滑油を、密閉ハウジング内を流動して冷媒ガスと接触させることなく、油溜まりまで導くことができる。従って、油循環率（ＯＣＲ）を一層低減することができるとともに、油溜まりの油面を確保し、潤滑性能の信頼性を向上することができる。
【００１５】
さらに、本発明の密閉型圧縮機は、上記の密閉型圧縮機において、前記樹脂製返油パイプの下端部は、前記回転軸の下端部を支持する下部軸受の側面にクランプされ、前記密閉ハウジングの内面から離間されていることを特徴とする。
【００１６】
本発明によれば、樹脂製返油パイプの下端部が、回転軸の下端部を支持する下部軸受の側面にクランプされ、密閉ハウジングの内面から離間されているため、密閉ハウジングを構成するロワーハウジングを溶接する際の熱が、密閉ハウジングを介して樹脂製返油パイプに伝達するのを阻止することができる。つまり、密閉型圧縮機の密閉ハウジングは、一般に円筒状ボディーの両端部にアッパーハウジングおよびロワーハウジングを周溶接して構成されているが、この溶接時の熱が円筒状ボディーより樹脂製返油パイプに伝達するのを阻止することができ、従って、樹脂製返油パイプが密閉ハウジングの溶接時に溶融される等の不具合を解消することができる。
【００１７】
さらに、本発明の密閉型圧縮機は、上述のいずれかの密閉型圧縮機において、前記樹脂製返油パイプは、下端部が前記密閉ハウジングと前記モータステータとの間の隙間の途中位置まで延長されていることを特徴とする。
【００１８】
本発明によれば、樹脂製返油パイプの下端部が、密閉ハウジングとモータステータとの間の隙間の途中位置まで延長されているため、圧縮機構の所要潤滑部位を潤滑した潤滑油と密閉ハウジング内を流動して冷媒ガスとの接触を十分に減らし、該潤滑油を密閉ハウジングとモータステータとの間の隙間を通してモータステータの下端部より速やかに油溜まりへと戻すことができる。従って、油循環率（ＯＣＲ）を確実に低減することができるとともに、油溜まりの油面を確保し、潤滑性能の信頼性を向上することができる。
【発明の効果】
【００１９】
本発明によると、圧縮機構の所要潤滑部位を潤滑して排出される潤滑油を、返油パイプを通して油溜まりに返油することにより、密閉ハウジング内を流動して圧縮機構に吸入される冷媒ガスと接触させることなく、油溜まりへと戻すことができるため、冷媒ガスに伴われて圧縮機から冷凍サイクル側に循環される潤滑油の油循環率（ＯＣＲ）を低減し、冷凍サイクル側でのシステム効率を向上することができるとともに、圧縮機側で潤滑油不足に陥るリスクを低減し、圧縮機の信頼性を向上することができる。また、返油パイプが変形性を有する樹脂製パイプとされていることから、密閉ハウジングとモータステータとの間の狭い隙間に太い樹脂製パイプを、例えば扁平状に変形させて挿通することができるため、返油パイプを大径化して潤滑油を円滑に油溜まりに戻すことができるとともに、返油パイプを大径化したとしても、それを密閉ハウジングとモータステータとの間の隙間に変形させて挿通できることから、組み立ての容易性を確保することができる。しかも、密閉ハウジングとモータステータとの間の隙間を大きくする必要がなく、モータステータの切欠き部を小さいままに維持することができるため、モータ性能への影響を皆無とすることができる。
【図面の簡単な説明】
【００２０】
【図１】本発明の第１実施形態に係る密閉型圧縮機の縦断面図である。
【図２】図１のＡ−Ａ断面相当図である。
【図３】図１のＢ−Ｂ断面相当図である。
【図４】本発明の第２実施形態に係る密閉型圧縮機の縦断面図である。
【図５】図４のＣ−Ｃ断面相当図である。
【図６】図４のＤ−Ｄ断面相当図である。
【発明を実施するための形態】
【００２１】
以下に、本発明にかかる実施形態について、図面を参照して説明する。
［第１実施形態］
以下、本発明の第１実施形態について、図１ないし図３を用いて説明する。
図１には、本発明の第１実施形態に係る密閉型圧縮機の縦断面図が示され、図２および図３には、図１のＡ−Ａ断面およびＢ−Ｂ断面相当図が示されている。なお、本実施形態では、低段側の圧縮機構にロータリ圧縮機構２、高段側の圧縮機構にスクロール圧縮機構３を用いた密閉型２段圧縮機（密閉型圧縮機）１の例が示されているが、本発明は、このような密閉型２段圧縮機１に限定されるものでないことはもちろんである。
【００２２】
密閉型２段圧縮機１は、密閉ハウジング１０を備えている。密閉ハウジング１０は、円筒状のボディー１０Ａと、その上下両端に周溶接されるロワーハウジング１０Ｂおよびアッパーハウジング１０Ｃとから構成されている。この密閉ハウジング１０内のほぼ中央部には、ステータ５とロータ６とから構成される電動モータ４が固定設置されている。ロータ６には、回転軸（クランク軸）７が一体に結合されている。この電動モータ４の下方部には、低段側のロータリ圧縮機構２が設置されている。
【００２３】
低段側のロータリ圧縮機構２は、シリンダ室２０を備え、密閉ハウジング１０に固定設置されるシリンダ本体２１と、シリンダ本体２１の上下に固定設置され、シリンダ室２０の上部および下部を密閉する上部軸受２２および下部軸受２３と、回転軸７のクランク部７Ａに嵌合され、シリンダ室２０の内周面を回動するロータ２４と、シリンダ室２０内を吸入側と吐出側とに仕切る図示省略のブレードおよびブレード押えバネ等とを備えた公知のロータリ圧縮機構によって構成されている。
【００２４】
この低段側ロータリ圧縮機構２は、アキュームレータ２５および吸入管２６を経てシリンダ室２０内に低圧の冷媒ガス（作動ガス）を吸入し、この冷媒ガスをロータ２４の回動により中間圧まで圧縮した後、吐出チャンバ２７を介して密閉ハウジング２内に吐き出すように構成されている。密閉ハウジング２内に吐き出された中間圧冷媒ガスは、電動モータ４のロータ６に設けられているガス通路６Ａ等を介して電動モータ４の上部空間に流動され、そこから高段側のスクロール圧縮機構３へと吸入されて２段圧縮されるように構成されている。
【００２５】
高段側のスクロール圧縮機構３は、回転軸（クランク軸）７を支持する軸受部３０を備え、密閉ハウジング２に固定設置されている支持部材３１（フレーム部材または軸受部材とも云う。）と、それぞれ端板上に立設された渦巻き状ラップを備え、該渦巻き状ラップ同士を噛み合わせて支持部材３１上に組み付けられることにより一対の圧縮室３４を形成する固定スクロール部材３２および旋回スクロール部材３３と、該旋回スクロール部材３３背面のボス部と回転軸７の軸端に設けられている偏心ピン７Ｂとを結合し、旋回スクロール部材３３を公転旋回駆動する旋回軸受３５と、旋回スクロール部材３３と支持部材３１との間に設けられ、旋回スクロール部材３３をその自転を阻止しつつ公転旋回させる自転阻止機構３６と、固定スクロール部材３２の背面に設けられている吐出弁３７と、固定スクロール部材３２の背面に固定設置され、固定スクロール部材３２との間で吐出チャンバ３８を形成している吐出カバー３９等とを備えた公知のスクロール圧縮機構によって構成されている。
【００２６】
上記の高段側スクロール圧縮機構３は、低段側ロータリ圧縮機構２により圧縮されて密閉ハウジング１０に吐き出された中間圧の冷媒ガスを圧縮室３４内に吸入し、該中間圧冷媒ガスを旋回スクロール部材３３の公転旋回駆動により高温高圧状態に圧縮した後、吐出弁３７を経て吐出チャンバ３８に吐き出すように構成されている。この高温高圧の冷媒ガスは、吐出チャンバ３８から吐出管４０を経て密閉型圧縮機１の外部、すなわち冷凍サイクル側に送出されるようになっている。また、高段側スクロール圧縮機構３を構成する上記支持部材３１は、密閉ハウジング１０内に複数箇所で点溶接され、密閉ハウジング１０に固定設置されている。
【００２７】
また、回転軸（クランク軸）７の下端部と低段側ロータリ圧縮機構２の下部軸受２３との間には、公知の容積形給油ポンプ１１が組み込まれている。該給油ポンプ１１は、密閉ハウジング１０の底部に形成されている油溜まり１２に充填されている潤滑油１３を汲み上げ、回転軸７内に設けられている給油孔１４を介して低段側ロータリ圧縮機構２および高段側スクロール圧縮機構３の軸受部等の所要潤滑部位に潤滑油１３を強制給油できるように構成されている。
【００２８】
さらに、密閉ハウジング１０内の上部に設けられている高段側スクロール圧縮機構３の支持部材３１には、旋回軸受３５、自転阻止機構３６、旋回スクロール部材３３のスラスト面等の潤滑部位を潤滑した潤滑油を排出する排油孔４１が設けられており、この排油孔４１には、高段側スクロール圧縮機構３の所要潤滑部位から排出された潤滑油を密閉ハウジング１０底部の油溜まり１２に戻す樹脂製の返油パイプ４２が接続されている。この樹脂製返油パイプ４２は、低段側ロータリ圧縮機構２から吐出されて密閉ハウジング１０内を流動している冷媒ガスと、高段側スクロール圧縮機構３から排出された潤滑油とが接触しないようにし、該潤滑油が高段側スクロール圧縮機構３に吸込まれ、圧縮ガスに伴われて冷凍サイクルに循環されるのを低減するためのものである。
【００２９】
樹脂製返油パイプ４２は、耐冷媒性および耐潤滑油性を有し、かつ変形性を有するフッ素樹脂系の、例えばＦＥＰ（テトラフルオロエチレン・ヘキサフルオロプロピレン共重合体（４．６フッ化））からなる比較的太いパイプによって構成されている。該樹脂製返油パイプ４２の下端部は、図２に示されるように、密閉ハウジング１０と電動モータ４のステータ５との間の隙間８、すなわちステータ５の外周に設けられているＤカット部を通して電動モータ４の上部側から下部側へと貫通され、密閉ハウジング１０の底部に形成されている油溜まり１２まで延長されている。
【００３０】
また、樹脂製返油パイプ４２は、上記隙間８（ステータ５外周のＤカット部）の半径方向最大隙間幅よりも太い径を有するパイプとされている。このため、隙間８よりも大径化された樹脂製返油パイプ４２は、その変形性を利用して、図２に示されるように、扁平状に変形されて隙間８に挿通され、上下方向に配設されている。更に、この樹脂製返油パイプ４２の下端部は、低段側ロータリ圧縮機構２のシリンダ本体２１に設けられている打抜き孔２１Ａに通された後、回転軸７の下端部を支持している下部軸受２３の側面にクランプ４３を介して固定され、密閉ハウジング１０の内面から離間された状態で油溜まり１２内へと延長されている。
【００３１】
以上に説明の構成により、本実施形態によると、以下の作用効果を奏する。
吸入管２６を介して低段側ロータリ圧縮機構２のシリンダ室２０に吸入された低温低圧の冷媒ガスは、ロータ２４の回動により中間圧まで圧縮された後、吐出チャンバ２７に吐き出される。この中間圧冷媒ガスは、吐出チャンバ２７から電動モータ４の下部空間内に吐き出された後、電動モータ４のロータ６に設けられているガス通路６Ａ等を流通して電動モータ４の上部空間側に流動される。
【００３２】
電動モータ４の上部空間側に流動された中間圧冷媒ガスは、高段側スクロール圧縮機構３を構成する支持部材３１と密閉ハウジング１０との間の隙間等を通り固定スクロール部材３２に設けられている高段側スクロール圧縮機構３の吸入口に導かれ、圧縮室３４内に吸入される。この中間圧冷媒ガスは、高段側スクロール圧縮機構３により高温高圧状態に２段圧縮された後、吐出弁３７を経て吐出チャンバ３８内に吐き出され、そこから吐出管４０を介して圧縮機外部、すなわち冷凍サイクル側に送出される。
【００３３】
一方、回転軸７が回転されることにより給油ポンプ１１を介して油溜まり１２から潤滑油１３が汲み上げられる。この潤滑油１３の一部は低段側ロータリ圧縮機構２の軸受部等に給油され、残りの大部分は回転軸７内に設けられている給油孔１４を介して高段側スクロール圧縮機構３の旋回軸受３５等の所要潤滑部位に給油され、それぞれ潤滑部位を潤滑する。高段側スクロール圧縮機構３の所要潤滑部位を潤滑した潤滑油は、支持部材３１の油溜めから排油孔４１へと排出され、排油孔４１に接続されている樹脂製返油パイプ４２内を流下して密閉ハウジング１０下部の油溜まり１２に戻される。
【００３４】
このように、高段側スクロール圧縮機構３の所要潤滑部位を潤滑して排油孔４１に排出された潤滑油を、樹脂製返油パイプ４２を介して油溜まり１２に戻すことにより、密閉ハウジング１０内を流動している冷媒ガスとの接触を減らすことができ、潤滑油が冷媒ガスと共に高段側スクロール圧縮機構３に吸入され、圧縮された後、冷凍サイクル側へと循環される油上がり現象を抑制することができる。従って、密閉型２段圧縮機１から冷凍サイクル側に循環される潤滑油の油循環率（ＯＣＲ）を低減し、冷凍サイクル側でのシステム効率を向上することができるとともに、２段圧縮機１側で潤滑油不足に陥るリスクを低減し、２段圧縮機１およびそれを用いた冷凍・空調機の信頼性を向上することができる。
【００３５】
また、返油パイプが変形性を有する樹脂製返油パイプ４２とされていることから、密閉ハウジング１０とモータステータ５との間の狭い隙間８に、大径化された樹脂製返油パイプ４２を、例えば扁平状に変形させて挿通することができる。このため、樹脂製返油パイプ４２を大径化して潤滑油をスムーズに油溜まり１２に戻すことができるとともに、樹脂製返油パイプ４２を大径化したとしても、それを密閉ハウジング１０とモータステータ５との間の狭い隙間８に変形させて挿通できるため、組み立ての容易性を確保することができる。しかも、密閉ハウジング１０とモータステータ５との間の隙間８を大きくする必要がなく、モータステータ５の切欠き部を小さいままに維持することができるため、モータ性能への影響を排除とすることができる。
【００３６】
また、樹脂製返油パイプ４２が、フッ素樹脂系パイプとされているため、樹脂製返油パイプ４２を耐冷媒性および耐潤滑油性を有し、かつ変形性を有するフッ素樹脂系の、ＦＥＰ（テトラフルオロエチレン・ヘキサフルオロプロピレン共重合体（４．６フッ化））製等の太いパイプとすることができる。従って、耐冷媒性、耐潤滑油性を確保しつつ、高段側スクロール圧縮機構３の所要潤滑部位を潤滑した潤滑油を冷媒ガスと接触させずに、大径化されたフッ素樹脂系パイプ４２の大きな断面流路を介して、スムーズに密閉ハウジング１０下部の油溜まり１２に戻すことができる。
【００３７】
さらに、本実施形態では、樹脂製返油パイプ４２の下端部が、密閉ハウジング１０下部の油溜まり１２まで延長された構成とされている。このため、高段側スクロール圧縮機構３の所要潤滑部位を潤滑した潤滑油を、密閉ハウジング１０内を流動して冷媒ガスと接触させることなく、そのまま樹脂製返油パイプ４２を介して直接油溜まり１２まで導くことができる。従って、油循環率（ＯＣＲ）を一層低減することができるとともに、油溜まり１２の油面を確保し、潤滑性能の信頼性を向上することができる。
【００３８】
また、樹脂製返油パイプ４２の下端部を、回転軸７の下端部を支持する下部軸受２３の側面にクランプ４３を介して固定し、密閉ハウジング１０の内面から一定距離離間させるようにしている。このため、密閉ハウジング１０を構成するロワーハウジング１０Ｂを溶接する際の熱が、密閉ハウジング１０を介して樹脂製返油パイプに伝達するのを阻止することができる。つまり、密閉ハウジング１０は、通常、円筒状ボディー１０Ａの両端部にアッパーハウジング１０Ｃとロワーハウジング１０Ｂとを周溶接して構成されるが、この溶接時の熱が円筒状ボディー１０Ａより樹脂製返油パイプ４２に伝達するのを阻止することができ。これによって、樹脂製返油パイプ４２が密閉ハウジング１０の溶接時に溶融される等の不具合を解消することができる。
【００３９】
［第２実施形態］
次に、本発明の第２実施形態について、図４ないし図６を用いて説明する。
本実施形態は、上記した第１実施形態に対して、樹脂製返油パイプ４２Ａの長さを短くし、隙間８の途中位置までとしている点が異なる。その他の点については、第１実施形態と同様であるので説明は省略する。
本実施形態では、高段側スクロール圧縮機構３の所要潤滑部位を潤滑した潤滑油を排出する排油孔４１に接続されている樹脂製返油パイプ４２Ａの下方への延長長さを、密閉ハウジング１０とモータステータ５との間の隙間８の途中位置、すなわち隙間８の上下方向長さの略中間位置までとしている。そして、樹脂製返油パイプ４２Ａの下端からは、潤滑油を隙間８および密閉ハウジング１０の内面に沿って油溜まり１２まで流下させるようにしている。
【００４０】
このように、樹脂製返油パイプ４２Ａの長さを、密閉ハウジング１０とモータステータ５との間の隙間８の途中位置までとし、そこから隙間８を介して油溜まり１２へと流下させることによっても、高段側スクロール圧縮機構３の所要潤滑部位を潤滑した潤滑油と密閉ハウジング１０内を流動して冷媒ガスとの接触を十分に減らし、該潤滑油を密閉ハウジング１０とモータステータ５との間の隙間８を通してモータステータ５の下端部より速やかに油溜まり１２へと戻すことができる。従って、これによっても油循環率（ＯＣＲ）を確実に低減することができるとともに、油溜まりの油面を確保し、潤滑性能の信頼性を向上することができる。
【００４１】
なお、本発明は、上記実施形態にかかる発明に限定されるものではなく、その要旨を逸脱しない範囲において、適宜変形が可能である。例えば、上記実施形態では、低段側圧縮機構をロータリ圧縮機構２、高段側圧縮機構をスクロール圧縮機構３とした密閉型２段圧縮機１の例について説明したが、これら圧縮機構の型式は如何なる型式のものであってもよく、また、圧縮機は、２段圧縮機に限らず、単段の密閉型圧縮機であってもよいことはもちろんである。
【００４２】
さらに、樹脂製返油パイプ４２，４２Ａは、フッ素樹脂系ＦＥＰに限定されるものではなく、耐冷媒性、耐潤滑油性があって、かつ変形性を有する樹脂であれば、他の樹脂であってもよい。また、密閉ハウジング１０とモータステータ５との間の隙間８は、Ｄカット面に限らず、モータステータ５側も円弧面とされた切欠きであってもよく、この場合、樹脂製返油パイプ４２，４２Ａは、内外周面とも湾曲した形状に変形されることになる。
【符号の説明】
【００４３】
１  密閉型２段圧縮機（密閉型圧縮機）
２  低段側ロータリ圧縮機構
３  高段側スクロール圧縮機構
４  電動モータ
５  モータステータ
７  回転軸（クランク軸）
８  隙間
１０  密閉ハウジング
１２  油溜まり
１３  潤滑油
１４  給油孔
２３  下部軸受
４１  排油孔
４２，４２Ａ  樹脂製返油パイプ
４３  クランプ
【図１】
2012057594.tif 000003
【図２】
2012057594.tif 000004
【図３】
2012057594.tif 000005
【図４】
2012057594.tif 000006
【図５】
2012057594.tif 000007
【図６】
2012057594.tif 000008